(57)【特許請求の範囲】
【請求項１】
所定のピッチで配置した垂木と、この垂木と垂木と間に敷き込んだ野地材との上部に、防水屋根材を配置し、この防水屋根材の上部に、吊子を介して横葺き屋根板を階段状に配置してなる横葺き屋根であって、防水屋根材が、吊子よりも棟側で立ち上がる複数の立ち上げ面板と、立ち上げ面板の上端から棟側の立ち上げ面板の下端に連なって横葺き屋根板を支持する斜面板とを、鋼板または合成樹脂材によって一体に成形してなり、防水屋根材の斜面板には、横葺き屋根板との間に流れ方向の通風路を形成する凹部が形成され、横葺き屋根板には太陽電池パネルが備えられ、この太陽電池パネルの端子ボックスが、防水屋根材に形成された通風路を形成するための凹部内に納められてなることを特徴とする横葺き屋根。
【発明の詳細な説明】
【０００１】
【発明の属する技術分野】
本発明は、所定のピッチで配置した垂木と、この垂木と垂木の間に敷き込んだ野地材との上部に、防水屋根材を配置し、この防水屋根材の上部に、吊子を介して横葺き屋根板を階段状に配置してなる横葺き屋根に関する。
【０００２】
【従来の技術】
横葺き屋根を葺く際には、図１２及び図１３に示すように、垂木２１を所定のピッチで母屋２３上に設置して、この垂木２１，２１間に野地材２２を敷き込む一方、防水屋根材２４として、例えば紙にアスファルトを含ませたアスファルトルーフィング等の防水シートを用いて、これを垂木２１と野地材２２との上面に張り付け、この防水シートによる防水屋根材２４の上部に、発泡スチロール製などの三角形状のバックアップ材２５を配置し、かつ、吊子２６を介して横葺き屋根板２７を階段状に配置する手順がとられる。
【０００３】
上記のバックアップ材２５は、次なる理由で防水屋根材２４の上部に配置される。即ち、横葺き屋根の構造上、下地である防水屋根材２４に対して横葺き屋根板２７が階段状に配置されることから、この横葺き屋根板２７の下部側には、三角形状の隙間が形成されることとなる。
【０００４】
このため、施工の作業中に、作業者が誤って横葺き屋根板２７のフラット面部に乗った場合に、フラット面部が変形し、その他、例えば積雪などによる大きな荷重を受けた際にも、フラット面部が変形して、意匠を損なうことから、その対策として、横葺き屋根板２７を葺く前に、三角形状の隙間を埋める形状のバックアップ材２５を、防水屋根材２４の上部に配置しているのである。
【０００５】
【発明が解決しようとする課題】
ところで、防水屋根材２４として用いられる防水シートには、非粘着タイプと粘着タイプの二種類があって、非粘着タイプのシートでは、これが一般には、垂木にタッカー留めされるが、施工を慎重に行わないと、タッカーの打ち損じが生じたり、作業中に破れたりして、防水シートとしての役割を果たさなくなり、往々にして漏水の原因となる点で問題があった。
【０００６】
また、粘着タイプの防水シートでは、気温が低いと粘着し難いことから、熱を加えて粘着面を温める必要があり、施工し辛い上に手間がかゝる点で問題があった。
【０００７】
一方、バックアップ材２５を配置することは、横葺き屋根板２７のフラット面部の変形を防止する上で必要欠かざるものであるが、このバックアップ材２５の配置には、多大の手間を要する上に、資材コストと施工コストのアップにも繋がり、更には、保管スペースを要することに加えて、煩わしい管理の手間も要する点で問題があった。
【０００８】
本発明は、かゝる実情に鑑みて成されたものであって、防水屋根材として、これを破れなどによる漏水の心配が一切ない上に、バックアップ材の機能も併せ持つものにして、資材コストの軽減と施工の簡略化とを図ることを目的としている。
【０００９】
【課題を解決するための手段】
本発明による横葺き屋根は、所定のピッチで配置した垂木と、この垂木と垂木と間に敷き込んだ野地材との上部に、防水屋根材を配置し、この防水屋根材の上部に、吊子を介して横葺き屋根板を階段状に配置してなる横葺き屋根であって、防水屋根材が、吊子よりも棟側で立ち上がる複数の立ち上げ面板と、立ち上げ面板の上端から棟側の立ち上げ面板の下端に連なって横葺き屋根板を支持する斜面板とを、鋼板または合成樹脂材によって一体に成形してなり、防水屋根材の斜面板には、横葺き屋根板との間に流れ方向の通風路を形成する凹部が形成され、横葺き屋根板には太陽電池パネルが備えられ、この太陽電池パネルの端子ボックスが、防水屋根材に形成された通風路を形成するための凹部内に納められてなることを特徴としている。
【００１０】
上記の特徴構成によれば、防水屋根材を鋼板製または合成樹脂製としたことから、破れによる漏水の心配は一切生じないのであり、また、防水パッキン付きのビスを使用することで、防水屋根材を的確に垂木にビス止めできるのであって、この点においても、従来の打ち損じによるような漏水が確実に防止される。
【００１１】
このように、本発明による防水屋根材を用いることで漏水が確実に防止が達成されることは、従来の防水の考えから完全に脱却し得ることに繋がることでもある。
【００１２】
即ち、従来は、横葺き屋根板によって一次防水を図り、防水シートによって二次防水を図るとする考えであったが、本発明のように、防水屋根材によって防水性能を確実に確保するならば、横葺き屋根板による厳密な防水は必ずしも必要とはしないのであり、換言すれば、横葺き屋根板間から雨水が侵入したとしても、これを防水屋根材によって確実に防止できることから、横葺き屋根板どうしの接続構造を簡単なものにすることが可能となるのである。
【００１３】
この他にも、本発明では、横葺き屋根板に太陽電池パネルを備えているが、太陽電池パネルと横葺き屋根板との接続構造や、屋根一体型の太陽電池パネルと横葺き屋根板との接続構造を簡単なものにできるのであって、副資材費の軽減と施工の簡略化とが達成されることになる。
【００１４】
そして、防水屋根材を垂木に固定した状態では、この垂木と立ち上げ面板と斜面板とが構造的に高強度の三角形状の構造物を構成して、このうちの斜面板が横葺き屋根板を支持することから、この三角形状の構造物は、横葺き屋根板の変形防止用のバックアップ材として機能するようになり、従って、バックアップ材そのものの資材が不要になることで、保管ならびに管理の手間が軽減される上に、その施工の手間も不要になることから、横葺き屋根板の変形防止と同時の防水の施工処理が、資材コストを軽減して簡単に達成されることになる。
【００１５】
しかも、斜面板は、それの棟側に立ち上げ面板を連ねていることから、面強度が極めて高くなるのであって、防水屋根材自体の変形も生じないのである。
【００１６】
ところで、垂木間に敷き込む野地材として、一般には、木毛セメントや発泡プラスチックボード、グラスウールボード、ロックウールやグラスウールのマットなどの断熱材を用いて、屋根下部の温度上昇を防ぐように考慮されているが、好適には、請求項１に記載のように、防水屋根材の斜面板に、横葺き屋根板との間に流れ方向の通風路を形成する凹部を形成することである。
【００１７】
即ち、本発明では、防水屋根材の斜面板に凹部を形成することにより、流れ方向の通風路を横葺き屋根板の下部に形成してあるので、温度の高くなった空気が通風路の棟側に抜けて、軒側からは温度の低い空気が通風路に入り込むことになり、この空気の自然通風によって横葺き屋根板と野地材とが冷やされるのであって、これによって屋根下部の温度上昇を効果的に防ぐことができる。
【００１８】
殊に、請求項１に記載のように、防水屋根材の斜面板に形成した凹部によって、横葺き屋根板の下部に流れ方向の通風路を形成した上で、横葺き屋根板に太陽電池パネルを備え、かつ、この太陽電池パネルの端子ボックスを、防水屋根材に形成の凹部内に納めることが好適である。
【００１９】
即ち、太陽電池パネルは、それ自体の温度が高くなると、変換効率が著しく低下することが知られているが、防水屋根材に空気の自然通風による冷却用の通風路を形成することで、太陽電池パネルは、横葺き屋根板と共に冷却されることとなり、これによって太陽電池パネルの温度上昇が抑止されるのであって、変換効率の低下が効果的に防止されることになる。
【００２０】
この際、防水屋根材の斜面板に凹部を設けずして、斜面板をフラットに構成したままであると、この横葺き屋根板の下部に太陽電池パネルの端子ボックスを納める上で、そのスペースを意図的に確保する必要があり、かつ、複雑な配置となって、意匠を損ねるだけでなく、施工性ならびに経済性に乏しくなるが、この点にあって本発明によれば、冷却用の通風路を形成する凹部を利用して、この凹部に端子ボックスを納めることから、意匠を損ねることなく、施工性ならびに経済性のアップを図ることができる。
【００２１】
【発明の実施の形態】
以下、本発明の実施の形態を図面に基づいて説明する。図１は本発明の一実施の形態による横葺き屋根の一部の縦断面図を示し、図３は横葺き屋根の端面図を示している。そして、図２は防水屋根材の部分斜視図を示している。
【００２２】
これらの図において、図中の１は所定のピッチで母屋２上に設置された断面がハット型の垂木で、この垂木１，１間の水平フランジ部１ａ，１ａには、例えば木毛セメントによる野地材３が敷き込まれている。
【００２３】
４は垂木１と野地材３との上部に配置された鋼板製の防水屋根材であって、防水パッキンａ付きのビスｂを用いて垂木１に止着されている。
【００２４】
５は防水屋根材４の上部に階段状に配置された横葺き屋根板で、下面部には、例えばポリエチレンフォームなどの断熱用の裏貼材６が止着されており、それぞれ横葺き屋根板５の棟側が、防水パッキンｃ付きのビスｄによって垂木１に止着された吊子７に係止保持されている。
【００２５】
上記の横葺き屋根板５は、具体的には、長尺の例えば塗装鋼板による曲げ加工品であって、軒側の端部には、下方に折れ曲がって棟側に屈曲した係止部８が形成されており、棟側の端部には、上方に折れ曲がって軒側に屈曲した係止部９が形成されていて、横葺き屋根板５の棟側の係止部９に吊子７を係止させて、この吊子７を垂木１にビスｄ止めし、かつ、この吊子７に棟側の横葺き屋根板５の軒側の係止部８を係止させることを繰り返し行うことで、横葺き屋根板５が階段状に葺かれるように構成されているのである。
【００２６】
一方、防水屋根材４は、吊子７よりも棟側で立ち上がる複数の立ち上げ面板１０と、立ち上げ面板１０の上端から上段の棟側立ち上げ面板１０の下端に連なる斜面板１１とを、鋼板によって一体に成形してなり、かつ、斜面板１１の棟側部分１１ａを、垂木１と横葺き屋根板５の裏貼材６とに面で当接させるように、フラットに形成して、このフラットな部分１１ａよりも軒側の斜面部１１ｂによって横葺き屋根板５のフラット面部５ａを支持するように構成している。
【００２７】
好ましくは、横葺き屋根板５を葺く前の段階で、屋根材止着用のビスｂと吊子止着用ビスｄの挿通孔ｅをフラットな部分１１ａに形成しておくことである。
【００２８】
上記の構成による防水屋根材４を用いた横葺き屋根では、防水屋根材４が鋼板製であることから、破れによる漏水は一切生じず、かつ、防水パッキンａ付きのビスｂによって防水屋根材４を的確に垂木１にビス止めできることから、また、吊子７についても、これを防水パッキンｃ付きビスｄによって垂木１に的確にビス止めできることから、打ち損じによる漏水も確実に防止されることになる。
【００２９】
このように、防水屋根材４によって防水性能が確実に確保されることは、横葺き屋根板５による厳密な防水が必ずしも必要とはしないことに繋がることであって、従って、横葺き屋根板５，５どうしの接続構造を簡単なものにすることが可能となる。
【００３０】
また、横葺き屋根板５に太陽電池パネルを備える場合は、横葺き屋根板５に対する太陽電池パネルや屋根一体型の太陽電池パネルの接続構造も簡単なものにすることができる。
【００３１】
一方、上記の防水屋根材４を垂木１に固定した状態では、垂木１と立ち上げ面板１０と斜面板１１とが構造的に高強度の三角形状の構造物を構成し、かつ、この内の斜面板１１が横葺き屋根板５を支持することから、この三角形状の構造物は、横葺き屋根板５の変形防止用のバックアップ材として機能するようになり、しかも、斜面板１１は、それの棟側に立ち上げ面板１０を連ねていることから、面強度が極めて高くなる。
【００３２】
従って、作業者が誤って横葺き屋根板５のフラット面部５ａに乗った場合であっても、また、フラット面部５ａが積雪などによる大きな荷重を受けたとしても、フラット面部５ａの変形は効果的に防止されるのであって、横葺き屋根板５の意匠を損なうような事態は確実に防止されることになる。
【００３３】
別の実施の形態による横葺き屋根を、図４〜図６に示している。この実施の形態では、横葺き屋根板５との間に流れ方向の通風路Ａを形成する凹部１２を、防水屋根材４の斜面板１１に形成する一方、垂木１を凸字状に形成している。
【００３４】
この凹部１２を備えた防水屋根材４の成形に際しては、例えばフラットな塗装鋼板に凹凸部をロール成形する一方、これをプレスして、立ち上げ面板１０と凹部１２付きの斜面板１１とを一体に形成する成形手段をとることができる。
【００３５】
このように、流れ方向の通風路Ａを横葺き屋根板５の下部に形成すると、温度の高くなった空気が通風路Ａの棟側に抜けて、軒側からは温度の低い空気が通風路Ａに入り込むことになり、この空気の自然通風によって横葺き屋根板５と野地材３とが冷やされるのであって、屋根下部の温度上昇を効果的に防ぐことができるようになる。
【００３６】
尚、上記の実施の形態では、図５に示すように、フラットな底面板１２ａの両側に鉛直面板１２ｂ，１２ｃを立ち上げて、通風路Ａを構成する凹部１２を形成しているが、図７に示すように、例えば二段の湾曲凸部１３によって、その湾曲凸部１３，１３間に凹部１２を形成してもよいのであり、フラット面板１２ａ両側の立ち上げ面板１２ｂ，１２ｃを、共に傾斜面板または鉛直面板としてもよく、その他、図８に示すように、フラットな底面板１２ａの両側に傾斜面板１２ｂを立ち上げるなど、凹部１２の形状は一切特定されるものではない。
【００３７】
ここで、通風路Ａを構成する凹部１２を防水屋根材４に形成することは、横葺き屋根に太陽電池パネルを備える上で頗る好適である。
【００３８】
即ち、図６と図８及び図９に示すように、横葺き屋根板５のフラット面部５ａに凹入部１４を形成して、この凹入部１４に太陽電池パネル１５を備えた場合、上記の通風路Ａを空気が自然通風することで、太陽電池パネル１５が横葺き屋根板５と共に自然冷却されて、太陽電池パネル１５の温度上昇が抑止されることから、太陽電池パネル１５の変換効率の低下が効果的に防止されるのである。
【００３９】
この際、横葺き屋根板５の下部に、太陽電池パネル１５の端子ボックス１６を収納するスペースを確保する必要があるが、防水屋根材４に形成した凹部１２を利用して、ここに端子ボックス１６を納めることで、端子ボックス１６の収納スペースを意図的に確保する必要性がなくなるのである。
【００４０】
尚、上記の構成をとる場合は、太陽電池パネル１５を効果的に自然冷却させる上で、断熱用の裏貼材６の止着を省略することが望ましい。
【００４１】
太陽電池パネル１５を備える横葺き屋根板５として、上記の実施の形態では、横葺き屋根板５に凹入部１４を形成して、この凹入部１４に太陽電池パネル１５を納めているが、凹入部１４を省略して、横葺き屋根板５のフラット面部５ａに太陽電池パネル１５を張り付けるように設置してもよいのである。
【００４２】
この他にも、図１０に示すように、軒側の係止部８を形成する金属製の枠材１７と、棟側の係止部９を形成する金属製の枠材１８とに、それぞれパネル係入部ｆを形成すると共に、棟側の枠材１８には吊子７の係止部ｈを形成し、かつ、これらの枠材１７，１８と太陽電池パネル１５によって、太陽電池パネル一体の横葺き屋根板５を構成し、つまりは屋根一体型の太陽電池パネル１５として、これを階段状に横葺きしてもよいのである。
【００４３】
或いは図１１に示すように、軒側と棟側の金属製の枠材１９のそれぞれに、パネル周部のシール材ｉの係入部ｊを形成すると共に、それぞれが吊子７を兼用構成するように、枠材１９のフランジ面部１９ａに防水パッキンｃ付きビスｄの挿通孔ｍを形成し、かつ、これらの枠材１９と太陽電池パネル１５によって、太陽電池パネル一体の横葺き屋根板５を構成し、つまりは屋根一体型の太陽電池パネル１５として、これを階段状に横葺きしてもよいのである。
【００４４】
この図９〜図１１に示す横葺き屋根においても、通風路Ａが存することで、太陽電池パネル１５の変換効率の低下が効果的に防止されるのであり、かつ、太陽電池パネル１５の端子ボックス１６を凹部１２に納めることで、端子ボックス１６の収納スペースを意図的に確保する必要もないのである。
【００４５】
尚、図１〜図６に示した防水屋根材４では、これを塗装鋼板による曲げ加工品としているが、その他の鋼板製や合成樹脂製としてもよく、また、図１０及び図１１に示した枠材１７〜１９を金属製としているが、これを合成樹脂製としてもよいのである。
【００４６】
【発明の効果】
以上説明したように、本発明による横葺き屋根では、防水屋根材を鋼板製または合成樹脂製としたことから、従来の破れや打ち損じによるような漏水は確実に防止されるのであって、たとえ横葺き屋根板間から雨水が侵入したとしても、確実なる防水を果たすことができるのである。
【００４７】
そして、このように防水性能を確実に確保し得ることは、横葺き屋根板によって一次防水を図り、防水シートによって二次防水を図るとする従来の考えから完全に脱却し得ることに繋がることであって、これによって本発明によれば、横葺き屋根板による厳密な防水が必ずしも必要としないことから、横葺き屋根板どうしの接続構造はもとより、太陽電池パネルと横葺き屋根板との接続構造や、屋根一体型の太陽電池パネルと横葺き屋根板との接続構造にしても、これを簡単なものにできるのであって、副資材費の軽減と施工の簡略化とが一挙に達成されることになる。
【００４８】
また、防水屋根材を垂木に固定した状態では、この垂木と立ち上げ面板と斜面板とが構造的に高強度の三角形状の構造物を構成して、このうちの斜面板が横葺き屋根板を支持することから、この三角形状の構造物は、横葺き屋根板の変形防止用のバックアップ材として機能するようになり、従って、バックアップ材そのものの資材が不要になることで、保管ならびに管理の手間が軽減される上に、その施工の手間も不要になることから、横葺き屋根板の変形防止と同時の防水の施工処理が、資材コストを軽減して簡単に達成されることになる。
【００４９】
しかも、斜面板は、それの棟側に立ち上げ面板を連ねていることから、面強度が極めて高くなるのであって、意匠を損なうような変形も生じないのであり、全体として本発明によれば、防水屋根材として、これを破れなどによる漏水の心配が一切ない上に、バックアップ材の機能も併せ持つものにしたことから、資材コストの軽減と施工の簡略化とを図り得る横葺き屋根が提供されることになる。
【００５０】
これに加えて、本発明による横葺き屋根によれば、防水屋根材に流れ方向の凹部を形成して、防水屋根材と横葺き屋根板との間に、空気の自然通風による通風路を構成したことで、横葺き屋根板と野地材とが自然冷却されるようになり、これによって屋根下部の温度上昇を効果的に防ぐことができる。
【００５１】
そして、本発明による横葺き屋根によれば、横葺き屋根板の下部に流れ方向の通風路を形成した上で、横葺き屋根板に太陽電池パネルを備えて、この太陽電池パネルを横葺き屋根板と共に自然冷却させるようにしたことから、太陽電池パネルの温度上昇による変換効率の低下が効果的に防止されるようになる。
【００５２】
しかも、スペースを意図的に確保することなく、かつ、意匠も損ねることなく、上記の冷却用の通風路を形成する凹部を利用して、この凹部に太陽電池パネルの端子ボックスを納めることから、太陽電池パネルを備えた横葺き屋根の施工性ならびに経済性のアップを図ることができる。
【図面の簡単な説明】
【図１】横葺き屋根の一部の縦断面図である。
【図２】防水屋根材の部分斜視図である。
【図３】横葺き屋根の端面図である。
【図４】別の実施の形態による横葺き屋根の一部の縦断面図である。
【図５】図４に示した横葺き屋根に用いる防水屋根材の部分斜視図である。
【図６】図４に示した横葺き屋根の端面図である。
【図７】通風路を形成する凹部の変形例を示す部分斜視図である。
【図８】太陽電池パネルを装備の横葺き屋根の部分斜視図である。
【図９】太陽電池パネルを装備した横葺き屋根の一部の縦断面図である。
【図１０】屋根一体型の太陽電池パネルを備えた横葺き屋根の一部の縦断面図である。
【図１１】屋根一体型の太陽電池パネルを備えた別の実施の形態による横葺き屋根の一部の縦断面図である。
【図１２】従来例の横葺き屋根の部分切り欠き斜視図である。
【図１３】図１２に示す従来例の横葺き屋根の一部の縦断面図である。
【符号の説明】
１…垂木、３…野地材、４…防水屋根材、５…横葺き屋根板、７…吊子、１０…立ち上げ面板、１１…斜面板、１２…凹部、１５…太陽電池パネル、１６…端子ボックス、Ａ…通風路。
【図１】
0003572273.tif 000002
【図２】
0003572273.tif 000003
【図３】
0003572273.tif 000004
【図４】
0003572273.tif 000005
【図５】
0003572273.tif 000006
【図６】
0003572273.tif 000007
【図７】
0003572273.tif 000008
【図８】
0003572273.tif 000009
【図９】
0003572273.tif 000010
【図１０】
0003572273.tif 000011
【図１１】
0003572273.tif 000012
【図１２】
0003572273.tif 000013
【図１３】
0003572273.tif 000014